(57)【要約】【課題】耐熱性に優れて高い断熱効果が得られる機能性パネルと、耐水性と防水性に優れた機能性シートを提供すること。【解決手段】機能性パネルは、耐熱性の樹脂材から成形の中空空気孔１３を有するプラスチックダンボール部材１０のパネル面１１にシート部材２０が接着されて構成され、機能性シートは、ゴムシート部材にシート部材２０が接着されて構成され、シート部材２０は、耐熱性の樹脂フィルム基材２１の一方の全面に、２０〜４０ミクロンの中空セラミックビーズとアクリル樹脂及び水との混合液塗料による機能性塗料層２２が塗着乾燥加工されて構成され、プラスチックダンボール部材１０とシート部材２０により高温下においても高い断熱効果が得られ、シート部材２０とゴムシート部材により耐水性・防水性が確保され、断熱効果が得られる。【選択図】　　　　図３
2004025791.tif 000002
【特許請求の範囲】
【請求項１】
ポリカーボネート樹脂等の耐熱性に優れた樹脂材から成形の中空空気孔（１３）を有するプラスチックダンボール部材（１０）と、
該プラスチックダンボール部材（１０）の一方又は両方のパネル面（１１）に接着されたシート部材（２０）とを含み、
前記シート部材（２０）は、ポリエステルフィルム等の耐熱性に優れた樹脂フィルム基材（２１）の一方の全面に、２０〜４０ミクロンの中空セラミックビーズとアクリル樹脂及び水との混合液塗料による機能性塗料層（２２）が塗着乾燥加工されて構成され、該シート部材（２０）はその前記樹脂フィルム基材（２１）側を外側に向けて接着されている構成を特徴とする機能性パネル。
【請求項２】
ブチルゴム等のゴムシート部材（２４）と、
該ゴムシート部材（２４）の一方又は両方のシート面に接着されたシート部材（２０）とを含み、
前記シート部材（２０）は、ポリエステルフィルム等の耐熱性に優れた樹脂フィルム基材（２１）の一方の全面に２０〜４０ミクロンの中空セラミックビーズとアクリル樹脂及び水との混合液塗料による機能性塗料層（２２）が塗着乾燥加工されて構成され、該シート部材（２０）はその前記樹脂フィルム基材（２１）側を外側に向けて接着されている構成を特徴とする機能性シート。
【発明の詳細な説明】
【０００１】
【発明の属する技術分野】
本発明は、建物の屋根瓦の下、壁の内側、床暖の下や寒冷地における結露防止、凍結防止等に用いるに好適な断熱性と耐水・防水性に優れた機能性パネル及びシートに関するものである。
【０００２】
【従来の技術】
２０〜４０ミクロンの中空セラミックビーズ４５％とアクリル樹脂２５％及び水３０％との混合液塗料を構造体に塗布して乾燥させると、構造体の表面を隙間なく２０〜４０ミクロンの中空セラミックビーズが覆うことにより保護層、断熱層、防水層、防音層が形成されて、これらの諸効果が得られる機能性塗料が知られており、更にこの機能性塗料は、一般的な断熱材、防水材、防音材に比べ、僅か０．８〜２．０ｍｍの厚みで発泡スチロール材約１００ｍｍと同等の断熱効果、防水シートと同等の防水性、ベニア板５ｍｍと同等の防音性を発揮することも知られており、建物の屋根や外壁、内装その他の構造体に用いられている。
【０００３】
そこで、この機能性塗料による諸効果に着目して、本特許出願人は、テープ基材の一方側全面にこの機能性塗料層を形成した機能性テープについて特許出願（特願２０００−２３８１３３）をした。
【０００４】
【発明が解決しようとする課題】
この特願２０００−２３８１３３に係る機能性テープは、それなりの断熱等の諸効果は奏するものの、今だ十分とは言えず、更なる諸効果の向上が求められていた。
【０００５】
本発明は、このような要請に応答すべくなされたもので、その目的とするところは、耐熱性に優れて高い断熱効果が得られる機能性パネルと、耐水性と防水性に優れた機能性シートを提供することにある。
【０００６】
【課題を解決するための手段】
この目的のため、請求項１に係る発明は、ポリカーボネート樹脂等の耐熱性に優れた樹脂材から成形の中空空気孔１３を有するプラスチックダンボール部材１０と、該プラスチックダンボール部材１０の一方又は両方のパネル面１１に接着されたシート部材２０とを含み、前記シート部材２０は、ポリエステルフィルム等の耐熱性に優れた樹脂フィルム基材２１の一方の全面に、２０〜４０ミクロンの中空セラミックビーズとアクリル樹脂及び水との混合液塗料による機能性塗料層２２が塗着乾燥加工されて構成され、該シート部材２０はその前記樹脂フィルム基材２１側を外側に向けて接着されている構成を特徴とするものである。
【０００７】
請求項２に係る発明は、ブチルゴム等のゴムシート部材２４と、該ゴムシート部材２４の一方又は両方のシート面に接着されたシート部材２０とを含み、前記シート部材２０は、ポリエステルフィルム等の耐熱性に優れた樹脂フィルム基材２１の一方の全面に２０〜４０ミクロンの中空セラミックビーズとアクリル樹脂及び水との混合液塗料による機能性塗料層２２が塗着乾燥加工されて構成され、該シート部材２０はその前記樹脂フィルム基材２１側を外側に向けて接着されている構成を特徴とするものである。
【０００８】
【発明の実施の形態】
本発明の実施の形態について図面を参照し、その作用と共に説明する。
【０００９】
図１は本発明に係る機能性パネルの一例での一部省略の平面図、図２は図１の２−２線に沿った拡大断面図、図３は図１の３−３線に沿った拡大断面図で、これら図において、本機能性パネルは、プラスチックダンボール部材とシート部材を含んでいる。
【００１０】
プラスチックダンボール部材１０は、両方のパネル面１１と多数の仕切パネル部１２とで一定方向に等間隔で規則的に多数の中空空気孔１３が押出し成型によって一体成型されることにより構成されている。
【００１１】
このプラスチックダンボール部材１０の樹脂材としては、ポリカーボネート、ポリプロピレン、ＡＢＳ系樹脂等が挙げられるが、好ましくは、耐熱性の点からポリカーボネート樹脂が望ましい。
【００１２】
又、プラスチックダンボール部材１０の大きさ、厚さ等の寸法は、用途に応じて適宜に選択される。
【００１３】
シート部材２０は、ポリプロピリン、ポリエチレン、ポリエステル、塩化ビニール等の耐熱性に優れた樹脂フィルム基材２１の一方の全面に、均一な厚み（好ましくは、０．８〜２．０ｍｍの厚み）をもって機能性塗料層２２がアンカーコーティング手段（プライマー加工）、又はコロナ放電処理手段による塗着乾燥加工によって形成されることにより構成されている。
【００１４】
機能性塗料層２２は、２０〜４０ミクロンの中空セラミックビーズとアクリル樹脂及び水との混合液塗料、好ましくは、２０〜４０ミクロンの中空セラミックビーズ４５％とアクリル樹脂２５％及び水３０％との混合液塗料が樹脂フィルム基材２１に均一に塗布されて乾燥固化せられたもので、樹脂フィルム基材２１の表面は隙間なく２０〜４０ミクロンの中空セラミックビーズにより覆われることにより保護層、防水層が形成されてこれらの諸効果が得られる。
【００１５】
このシート部材２０は、その樹脂フィルム基材２１の面を外側に向け、プラスチックダンボール部材１０をサンドイッチ状に挟んで両方のパネル面１１に接着剤層２３を介して接着されている。
【００１６】
なお、シート部材２０はその樹脂フィルム基材２１側を外側にしてプラスチックダンボール部材１０の両パネル面１１に接着されているが、これは機能性塗料層２２を内側とすることによって運搬や取付け作業等の取扱い上において機能性塗料層２２を保護・安定化させるためである。
【００１７】
このように構成された本機能性パネルは、図４に例示されているように、建物の壁等の構造体１００における外側（外気側）壁面部１０１と内側（室内側）壁面部１０２との空間部１０３に設けられ、壁の内装構造材として用いられる。
【００１８】
プラスチックダンボール部材１０及びこれをサンドイッチ状とした両パネル面１１のシート部材２０は、耐熱性に優れ、かつ機能性塗料層２２とプラスチックダンボール部材１０の中空空気孔１３により熱が伝導し難いため、高温下においても高い断熱効果が得られる。
【００１９】
なお、本実施例においては、シート部材２０はプラスチックダンボール１０の両パネル面１１に接着されているが、シート部材２０は、特に図示しないが、プラスチックダンボール１０のいずれか一方のパネル面だけに接着されても良いことは勿論である。
【００２０】
図５は、本発明に係る機能性シートの一例を示す一部省略の断面図で、本機能性シートはゴムシート部材とシート部材を含み、所定の幅と厚みを持った長尺のロール状として構成されている。
【００２１】
シート部材２０は、前記と同様に、ポリエステルフィルム等の耐熱性に優れた樹脂フィルム基材２１の一方の全面に機能性塗料層２２が形成されたものである。
【００２２】
ゴムシート部材２４は、ブチルゴム等のゴムシート材であって、該ゴムシート部材２４の一方のシート面に、シート部材２０がその樹脂フィルム基材２１側を外側に向け接着剤層２５を介して接着されている。
【００２３】
このように構成された機能性シートは、特に、水廻り部分における構造体１０４に釘１０５をもって釘着して用いられる。
【００２４】
本機能性シートによれば、釘１０５が打ち込まれても、ゴムシート部材２４の伸縮性によって耐水性・防水性が確保されるとともに、シート部材２０の機能によって断熱効果が得られる。
【００２５】
なお、本実施例においては、シート部材２０はゴムシート部材２４の一方のシート面に接着されているが、シート部材２０は、特に図示しないが、ゴムシート部材２４の両方のシート面に接着されても良いことは勿論である。
【００２６】
【発明の効果】
しかして、本発明に係る機能性パネルによれば、耐熱性に優れ、かつ中空空気孔１３により熱伝導が悪いプラスチックダンボール部材１０と、該プラスチックダンボール部材１０のパネル面１１に接着された耐熱性のシート部材２０における機能性塗料層２２との相乗作用によって、高温下においても高い断熱効果が得られる。
【００２７】
又、シート部材２０はその樹脂フィルム基材２１側を外側にし、機能性塗料層２２側を内側接着面としてプラスチックダンボール部材１０のパネル面１１に接着されているから、本機能性パネルの運搬や取付け作業等の取扱い上において機能性塗料層２２を保護・安定化させることができる。
【００２８】
本発明に係る機能性シートによれば、特に、水廻り部分における構造体１０４に釘１０５をもって釘着して用いるに好適であり、しかも釘１０５が打ち込まれても、ゴムシート部材２４の伸縮性によって耐水性・防水性が確保され、シート部材２０の機能によって断熱効果が得られる。
【図面の簡単な説明】
【図１】本発明に係る機能性パネルの一例での一部省略の平面図である。
【図２】図１の２−２線に沿った拡大断面図である。
【図３】図１の３−３線に沿った拡大断面図である。
【図４】機能性パネルの使用態様の一例を示す一部省略の拡大断面図である。
【図５】本発明に係る機能性シートの一例での一部省略の断面図である。
【符号の説明】
１０　　プラスチックダンボール部材
１１　　パネル面
１３　　中空空気孔
２０　　シート部材
２１　　樹脂フィルム基材
２２　　機能性塗料層
２４　　ゴムシート部材
【図１】
2004025791.tif 000003
【図２】
2004025791.tif 000004
【図３】
2004025791.tif 000005
【図４】
2004025791.tif 000006
【図５】
2004025791.tif 000007